(57)【要約】【課題】絶縁カバーの装着性を向上できる蓄電装置を提供すること【解決手段】二次電池１０の絶縁カバー３５は、タブ絶縁部３６から突出し、蓋部材１５と電極接合部２８ａの間に介在する第１板部３７と、第１板部３７よりも電極組立体１２寄りに位置し、タブ絶縁部３６から突出し、端子接続部２８ｂと電極組立体１２との間に介在する第２板部３８と、を備える。二次電池１０は、積層方向一端側に位置し、かつ電極組立体１２寄りに位置する端子接続部２８ｂの縁部に、積層方向一端から他端に向かうに従い電極組立体１２に近付く形状のガイド部４２を備える。【選択図】図２
2019121435.tif 000002
【特許請求の範囲】
【請求項１】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する板状の蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接続部を備える各極性の導電部材と、
前記端子接続部と前記蓋部材とを絶縁する絶縁部材と、
前記タブ群と前記ケース部材とを絶縁する絶縁カバーと、
を備える蓄電装置であって、
前記絶縁カバーは、前記電極組立体における前記電極の積層方向一端側において前記タブ群と前記ケース部材との間に介在する板状のタブ絶縁部と、
前記積層方向他端に向けて前記タブ絶縁部から突出し、かつ前記蓋部材と前記電極接合部の間に介在する第１板部と、
前記第１板部よりも前記電極組立体寄りに位置し、かつ前記積層方向他端に向けて前記タブ絶縁部から突出し、前記端子接続部を前記電極組立体側から覆う第２板部と、を有し、
積層方向一端側に位置する前記端子接続部又は前記絶縁部材の縁部に、前記積層方向一端から他端に向かうに従い前記電極組立体に近付く形状のガイド部を備えることを特徴とする蓄電装置。
【請求項２】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する板状の蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接続部を備える各極性の導電部材と、
前記端子接続部と前記蓋部材とを絶縁する絶縁部材と、
前記タブ群と前記ケース部材とを絶縁する絶縁カバーと、
を備える蓄電装置であって、
前記絶縁カバーは、前記電極組立体における前記電極の積層方向一端側において前記タブ群と前記ケース部材との間に介在する板状のタブ絶縁部と、
前記積層方向他端に向けて前記タブ絶縁部から突出し、かつ前記蓋部材と前記電極接合部の間に介在する第１板部と、
前記第１板部よりも前記電極組立体寄りに位置し、かつ前記積層方向他端に向けて前記タブ絶縁部から突出し、前記端子接続部を前記電極組立体側から覆う第２板部と、を有し、
積層方向一端側に位置する前記蓋部材の縁部に、前記積層方向一端から他端に向かうに従い前記電極組立体に近付く形状のガイド部を備えることを特徴とする蓄電装置。
【請求項３】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する板状の蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接続部を備える各極性の導電部材と、
前記端子接続部と前記蓋部材とを絶縁する絶縁部材と、
前記タブ群と前記ケース部材とを絶縁する絶縁カバーと、
を備える蓄電装置であって、
前記絶縁カバーは、前記電極組立体における前記電極の積層方向一端側において前記タブ群と前記ケース部材との間に介在する板状のタブ絶縁部と、
前記積層方向他端に向けて前記タブ絶縁部から突出し、かつ前記蓋部材と前記電極接合部の間に介在する第１板部と、
前記第１板部よりも前記電極組立体寄りに位置し、かつ前記積層方向他端に向けて前記タブ絶縁部から突出し、前記端子接続部を前記電極組立体側から覆う第２板部と、を有し、
積層方向一端側に位置する前記電極接合部の縁部に、前記積層方向一端から他端に向かうに従い前記蓋部材に近付く形状のガイド部を備えることを特徴とする蓄電装置。
【請求項４】
前記絶縁カバーは、前記積層方向他端側において前記導電部材又は前記絶縁部材に係止する係止爪を備える請求項１〜請求項３のうちいずれか一項に記載の蓄電装置。
【請求項５】
前記ガイド部は、傾斜面又は円弧面を有する請求項１〜請求項４のうちいずれか一項に記載の蓄電装置。
【発明の詳細な説明】
【技術分野】
【０００１】
本発明は、タブ群とケース部材とを絶縁する絶縁カバーを備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。
【０００３】
二次電池は、シート状の正極及び負極の電極が絶縁された状態で積層された電極組立体と、電極組立体を収容するケースとを備える。電極組立体は、電極の一辺の一部から突出したタブを同じ極性同士で寄せ集めたタブ群を有する。ケースは、有底筒状のケース部材と、ケース部材の開口部を閉塞する蓋部材とを有する。二次電池は、電極組立体と電気を授受する電極端子を備えるとともに、電極端子と蓋部材とを絶縁する絶縁部材を備える。なお、電極端子は、蓋部材に固定されている。二次電池は、電極端子と電極組立体のタブ群とを接続する導電部材を備えている。
【０００４】
また、上記のような二次電池の製造方法の一つに、蓋部材に電極端子を固定するとともに、電極端子とタブ群に導電部材を接合し、電極組立体、蓋部材、電極端子、導電部材、及びタブ群を組立部材として一体化した後、組立部材に絶縁カバーを装着する方法がある（例えば特許文献１参照）。
【０００５】
特許文献１において、二次電池が備える絶縁カバーは、蓋部材と導電部材との間を絶縁する第１絶縁部と、電極端子と電極組立体との間を絶縁する第２絶縁部とを備える。また、絶縁カバーは、第２絶縁部に係止爪を備え、この係止爪は導電部材又は絶縁部材に係止している。
【０００６】
上記絶縁カバーは、組立部材の製造後に組立部材に装着される。絶縁カバーを組立部材に装着するには、電極組立体の積層方向一端側から他端側に向けて絶縁カバーを移動させ、第１絶縁部を蓋部材と導電部材との間に差し込むとともに、第２絶縁部を電極端子と電極組立体の端面との間に差し込む。そして、係止爪を、積層方向の他端側まで移動させ、積層方向他端側における導電部材又は絶縁部材の側面に係止させることで、絶縁カバーが積層方向一端側へ移動することを規制し、組立部材から絶縁カバーが抜け出ることが抑制される。
【先行技術文献】
【特許文献】
【０００７】
【特許文献１】特開２０１７−１１７６６７号公報
【発明の概要】
【発明が解決しようとする課題】
【０００８】
ところで、特許文献１に開示の絶縁カバーにおいては、絶縁カバーを積層方向一端側から他端側へ移動させると、係止爪と、積層方向一端側における絶縁部材の側面とが干渉し、絶縁カバーの装着が行いにくい。そこで、絶縁部材と係止爪との干渉を避けるため、第１絶縁部及び第２絶縁部の先端が下を向くように傾け、係止爪を絶縁部材の下側に位置させることが考えられるが、この場合には、第１絶縁部の先端が導電部材と蓋部材との間の隙間より下方に位置し、第１絶縁部を隙間に差し込みにくくなって絶縁カバーの装着が行いにくい。
【０００９】
本発明の目的は、絶縁カバーの装着性を向上できる蓄電装置を提供することにある。
【課題を解決するための手段】
【００１０】
上記問題点を解決するための蓄電装置は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する板状の蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接続部を備える各極性の導電部材と、前記端子接続部と前記蓋部材とを絶縁する絶縁部材と、前記タブ群と前記ケース部材とを絶縁する絶縁カバーと、を備える蓄電装置であって、前記絶縁カバーは、前記電極組立体における前記電極の積層方向一端側において前記タブ群と前記ケース部材との間に介在する板状のタブ絶縁部と、前記積層方向他端に向けて前記タブ絶縁部から突出し、かつ前記蓋部材と前記電極接合部の間に介在する第１板部と、前記第１板部よりも前記電極組立体寄りに位置し、かつ前記積層方向他端に向けて前記タブ絶縁部から突出し、前記端子接続部を前記電極組立体側から覆う第２板部と、を有し、積層方向一端側に位置する前記端子接続部又は前記絶縁部材の縁部に、前記積層方向一端から他端に向かうに従い前記電極組立体に近付く形状のガイド部を備えることを要旨とする。
【００１１】
これによれば、蓋部材、導電部材、絶縁部材、及び電極端子を一体に組み付けるとともに、電極接合部にタブ群を接合した状態で、絶縁カバーを電極組立体の積層方向一端側から他端側に向けてスライド移動させて、絶縁カバーが装着される。万一、第２板部が蓋部材寄りに反っていたとしても、絶縁カバーをスライド移動させた時、ガイド部によって第２板部を電極組立体に近付く方向へ変形させることができ、絶縁カバーの装性を向上できる。
【００１２】
上記問題点を解決するための蓄電装置は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する板状の蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接続部を備える各極性の導電部材と、前記端子接続部と前記蓋部材とを絶縁する絶縁部材と、前記タブ群と前記ケース部材とを絶縁する絶縁カバーと、を備える蓄電装置であって、前記絶縁カバーは、前記電極組立体における前記電極の積層方向一端側において前記タブ群と前記ケース部材との間に介在する板状のタブ絶縁部と、前記積層方向他端に向けて前記タブ絶縁部から突出し、かつ前記蓋部材と前記電極接合部の間に介在する第１板部と、前記第１板部よりも前記電極組立体寄りに位置し、かつ前記積層方向他端に向けて前記タブ絶縁部から突出し、前記端子接続部を前記電極組立体側から覆う第２板部と、を有し、積層方向一端側に位置する前記蓋部材の縁部に、前記積層方向一端から他端に向かうに従い前記電極組立体に近付く形状のガイド部を備えることを要旨とする。
【００１３】
これによれば、蓋部材、導電部材、絶縁部材、及び電極端子を一体に組み付けるとともに、電極接合部にタブ群を接合した状態で、絶縁カバーを電極組立体の積層方向一端側から他端側に向けてスライド移動させて、絶縁カバーが装着される。万一、第１板部が蓋部材寄りに反っていたとしても、絶縁カバーをスライド移動させた時、ガイド部により、第１板部を電極組立体に近付く方向へ変形させ、第１板部を、電極接合部と蓋部材との間に
入り込ませることができ、絶縁カバーの装着性を向上できる。
【００１４】
上記問題点を解決するための蓄電装置は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する板状の蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接続部を備える各極性の導電部材と、前記端子接続部と前記蓋部材とを絶縁する絶縁部材と、前記タブ群と前記ケース部材とを絶縁する絶縁カバーと、を備える蓄電装置であって、前記絶縁カバーは、前記電極組立体における前記電極の積層方向一端側において前記タブ群と前記ケース部材との間に介在する板状のタブ絶縁部と、前記積層方向他端に向けて前記タブ絶縁部から突出し、かつ前記蓋部材と前記電極接合部の間に介在する第１板部と、前記第１板部よりも前記電極組立体寄りに位置し、かつ前記積層方向他端に向けて前記タブ絶縁部から突出し、前記端子接続部を前記電極組立体側から覆う第２板部と、を有し、積層方向一端側に位置する前記電極接合部の縁部に、前記積層方向一端から他端に向かうに従い前記蓋部材に近付く形状のガイド部を備えることを要旨とする。
【００１５】
これによれば、蓋部材、導電部材、絶縁部材、及び電極端子を一体に組み付けるとともに、電極接合部にタブ群を接合した状態で、絶縁カバーを電極組立体の積層方向一端側から他端側に向けてスライド移動させて、絶縁カバーが装着される。万一、第１板部が電極組立体寄りに反っていたとしても、絶縁カバーをスライド移動させた時、ガイド部により、第１板部を蓋部材に近付く方向へ変形させ、第１板部を、電極接合部と蓋部材との間に入り込ませることができ、絶縁カバーの装着性を向上できる。
【００１６】
蓄電装置について、前記絶縁カバーは、前記積層方向他端側において前記導電部材又は前記絶縁部材に係止する係止爪を備えていてもよい。
【００１７】
これによれば、絶縁カバーを装着する際、係止爪が導電部材又は絶縁部材に干渉するが、ガイド部によって第１板部や第２板部を変形させることで、絶縁カバーの装着性が向上する。
【００１８】
蓄電装置について、前記ガイド部は、傾斜面又は円弧面を有していてもよい。
【００１９】
これによれば、傾斜面を有するガイド部であれば、ガイド部の傾斜に沿って絶縁カバーの突出端が移動するため、絶縁カバーをガイドさせやすく、円弧面を有するガイド部であれば、ガイド部の円弧に絶縁カバーの突出端が引っ掛かることを回避できる。  
【発明の効果】
【００２０】
本発明によれば、絶縁カバーの装着性を向上できる。
【図面の簡単な説明】
【００２１】
【図１】第１の実施形態の二次電池を示す分解斜視図。
【図２】第１の実施形態の二次電池を示す部分側断面図。
【図３】第１の実施形態の二次電池を示す部分正面図。
【図４】第１の実施形態の二次電池を示す部分斜視図。
【図５】第１の実施形態の内側絶縁部材及び導電部材を示す部分斜視図。
【図６】絶縁カバーを蓋端子組立体に装着する状態を示す側断面図。
【図７】絶縁カバーを蓋端子組立体に装着する状態を示す側断面図。
【図８】第２の実施形態において絶縁カバーの装着状態を示す側断面図。
【図９】第３の実施形態において絶縁カバーの装着状態を示す側断面図。
【発明を実施するための形態】
【００２２】
（第１の実施形態）
以下、蓄電装置を二次電池に具体化した第１の実施形態を図１〜図７にしたがって説明する。
【００２３】
図１及び図２に示すように、蓄電装置としての二次電池１０はケース１１を備え、ケース１１には電極組立体１２が収容されている。ケース１１は、電極組立体１２を収容する四角箱状のケース部材１４と、このケース部材１４の開口部１４ａを閉塞する矩形平板状の蓋部材１５とを有している。なお、本実施形態の二次電池１０はリチウムイオン電池である。蓋部材１５は、ケース部材１４の開口部１４ａの周縁に支持される矩形平板状の天板１５ａと、天板１５ａからケース部材１４に向けて突出する矩形状の嵌合部１５ｂとを有する。嵌合部１５ｂは、ケース部材１４の開口部１４ａからケース部材１４の内側に嵌合される。そして、天板１５ａの周縁とケース部材１４における開口部１４ａの周縁とが溶接されてケース部材１４と蓋部材１５が一体化されている。
【００２４】
電極組立体１２は、シート状の複数の正極電極２１とシート状の複数の負極電極２２とを備え、正極電極２１と負極電極２２とは異なる極性の電極である。詳細に図示しないが、正極電極２１は、正極金属箔（本実施形態ではアルミニウム箔）と、その正極金属箔の両面に存在する正極活物質層とを有する。負極電極２２は、負極金属箔（本実施形態では銅箔）と、その負極金属箔の両面に存在する負極活物質層とを有する。そして、電極組立体１２は、複数の正極電極２１と複数の負極電極２２の間にこれらを絶縁するセパレータ２３を介在させて層状とした積層型である。正極電極２１と負極電極２２が積層された方向を電極組立体１２の積層方向とする。
【００２５】
正極電極２１は、正極電極２１の一辺２１ａの一部から突出した形状のタブ２５を有する。負極電極２２は、負極電極２２の一辺２２ａの一部から突出した形状のタブ２６を有する。複数の正極のタブ２５、及び複数の負極のタブ２６は、正極電極２１及び負極電極２２が積層された状態で、正極のタブ２５と負極のタブ２６とが重ならない位置にそれぞれ設けられている。
【００２６】
電極組立体１２は、タブ側端面１２ａを備える。タブ側端面１２ａは、正極電極２１の一辺２１ａ、負極電極２２の一辺２２ａ、及びセパレータ２３の一辺を寄せ集めて形成されている。電極組立体１２を構成する各正極電極２１は、それぞれのタブ２５が積層方向に沿って列状に配置されるように積層される。同様に、電極組立体１２を構成する各負極電極２２は、それぞれのタブ２６が積層方向に沿って列状に配置されるように積層される。
【００２７】
電極組立体１２は、タブ側端面１２ａから突出した正極のタブ群２７を有し、このタブ群２７は、全ての正極のタブ２５を電極組立体１２における積層方向の一端側に寄せ集め、積層して構成されている。また、電極組立体１２は、タブ側端面１２ａから突出した負極のタブ群２７を有し、このタブ群２７は、全ての負極のタブ２６を積層して構成されている。各極のタブ群２７は、積層方向一端側に各タブ２５，２６の先端が位置するように折り曲げられている。電極組立体１２及びタブ群２７は、絶縁フィルムＦによって覆われている。絶縁フィルムＦは、正極及び負極のタブ群２７を積層方向両側から覆っている。
【００２８】
図３、図４及び図５に示すように、正極のタブ群２７には、電極組立体１２と、後述の正極端子構造１６とを電気的に接続するための導電部材２８が接合されている。また、負
極のタブ群２７には、電極組立体１２と、後述の負極端子構造１７とを電気的に接続するための導電部材２８が接合されている。
【００２９】
正極及び負極の導電部材２８の長手は、蓋部材１５の長手方向へ延びるクランク状であり、各極性の導電部材２８の短手は、電極組立体１２の積層方向へ延びる。正極及び負極の導電部材２８は、同じ極性のタブ群２７と接合された電極接合部２８ａを長手方向一端側に備える。また、正極及び負極の導電部材２８は、同じ極性の引出端子２９と接続される平板状の端子接続部２８ｂを長手方向他端側に備えるとともに、電極接合部２８ａと端子接続部２８ｂを繋ぐ連繋部２８ｃを備える。連繋部２８ｃにより、端子接続部２８ｂは、電極接合部２８ａよりも電極組立体１２寄りに位置している。導電部材２８の短手方向に沿った電極接合部２８ａ、端子接続部２８ｂ及び連繋部２８ｃの寸法はいずれも同じである。そして、導電部材２８は、蓋部材１５の内面と、電極組立体１２のタブ側端面１２ａとの間に配置されている。
【００３０】
次に、正極端子構造１６及び負極端子構造１７を説明する。なお、正極端子構造１６と負極端子構造１７は基本的に同じ構成であるため、共通の部材については、同じ部材番号を使用して説明する。
【００３１】
正極端子構造１６及び負極端子構造１７は、それぞれ蓋部材１５に固定された電極端子としての引出端子２９を備える。引出端子２９は、各極性において導電部材２８の端子接続部２８ｂと電気的に接続され、電極組立体１２と電気を授受する。引出端子２９は、蓋部材１５より外側に突出している。正極端子構造１６及び負極端子構造１７は、蓋部材１５の外側で引出端子２９と電気的に接続された端子接続部材３０を備える。正極端子構造１６及び負極端子構造１７は、蓋部材１５の外側で、端子接続部材３０と電気的に接続された外部接続端子３１を備える。正極端子構造１６及び負極端子構造１７は、端子接続部材３０及び外部接続端子３１を蓋部材１５から絶縁する外側絶縁部材３２を蓋部材１５の外面に備える。
【００３２】
図５に示すように、正極端子構造１６及び負極端子構造１７は、ケース１１の内側で引出端子２９及び端子接続部２８ｂを蓋部材１５から絶縁する絶縁部材としての内側絶縁部材３３を備える。内側絶縁部材３３は矩形板状である。内側絶縁部材３３は、電極組立体１２のタブ側端面１２ａから蓋部材１５に向けて凹む収容凹部３４を備える。収容凹部３４は、内側絶縁部材３３の四側面のうち、電極接合部２８ａ寄りの側面にて開口している。そして、収容凹部３４に端子接続部２８ｂのほぼ全体が収容され、内側絶縁部材３３におけるタブ側端面１２ａ寄りの端面３３ａと、端子接続部２８ｂにおけるタブ側端面１２ａ寄りの端面２８ｄとが面一になっている。また、端子接続部２８ｂの一部、連繋部２８ｃ及び電極接合部２８ａが内側絶縁部材３３における端子接続部２８ｂ寄りの側面から突出している。
【００３３】
次に、ケース１１内に設けられた樹脂製の絶縁カバー３５について説明する。
【００３４】
図１及び図４に示すように、絶縁カバー３５は、正極及び負極の導電部材２８に対し、積層方向の一端側から装着されている。絶縁カバー３５は、矩形板形状のタブ絶縁部３６を備える。タブ絶縁部３６は、積層方向一端側に位置する両極のタブ群２７の先端側を積層方向の外側から覆い、両極のタブ群２７の先端側とケース部材１４とを絶縁する。
【００３５】
図２に示すように、絶縁カバー３５は、蓋部材１５の長手方向に延びるタブ絶縁部３６の一対の長縁部のうち、蓋部材１５寄りの長縁部から積層方向他端に向けて突出した第１板部３７を備える。第１板部３７は、両極の導電部材２８の電極接合部２８ａと蓋部材１５との間に介在し、両者を絶縁する。絶縁カバー３５の第１板部３７は、両極の電極接合
部２８ａに支持されている。
【００３６】
絶縁カバー３５は、蓋部材１５の長手方向に延びるタブ絶縁部３６の一対の長縁部のうち、電極組立体１２寄りの長縁部の両端部から積層方向他端に向けて突出した一対の第２板部３８を備える。一方の第２板部３８は、正極端子構造１６における端子接続部２８ｂと、タブ側端面１２ａとの間に介在し、端子接続部２８ｂの一部を電極組立体１２側から覆う。他方の第２板部３８は、負極端子構造１７における端子接続部２８ｂと、タブ側端面１２ａとの間に介在し、端子接続部２８ｂの一部を電極組立体１２側から覆う。
【００３７】
絶縁カバー３５は、各第２板部３８におけるタブ絶縁部３６からの突出端に係止爪４０を備える。係止爪４０は、各第２板部３８から第１板部３７に向けて突出する。各係止爪４０は、各第２板部３８において、絶縁カバー３５の長手方向に沿った第１板部３７寄りの位置に配設されている。各係止爪４０は、第２板部３８の突出端からタブ絶縁部３６に向かうに従い第１板部３７（蓋部材１５）に近付くように上り傾斜する傾斜面４０ａを備える。
【００３８】
一方の係止爪４０は、正極の導電部材２８の端子接続部２８ｂにおいて、積層方向他端に位置した縁部に係止している。他方の係止爪４０は、負極の導電部材２８の端子接続部２８ｂにおいて、積層方向他端に位置した縁部に係止している。よって、ケース１１内には、各端子接続部２８ｂの縁部と係止爪４０との係止箇所Ｋが存在している。各端子接続部２８ｂに対する係止爪４０の係止により、絶縁カバー３５が積層方向一端側に移動することが規制されている。
【００３９】
図４及び図５に示すように、正極及び負極の導電部材２８は、端子接続部２８ｂのうち内側絶縁部材３３によって覆われていない部位に凹部４１を備える。凹部４１は、電極組立体１２の積層方向一端側に位置した端子接続部２８ｂの縁部に位置し、凹部４１は、図２に示すように、係止爪４０と端子接続部２８ｂの係止箇所Ｋから積層方向一端に向けて延びる延長線上に位置している。凹部４１は、絶縁カバー３５の第１板部３７を、電極接合部２８ａと蓋部材１５との間に差し込むときの係止爪４０の軌跡上に設けられている。
【００４０】
凹部４１は、端子接続部２８ｂにおける積層方向一端縁から積層方向他端側に向けて端子接続部２８ｂの短手方向に延びているが、端子接続部２８ｂの短手方向の中央までは延びていない。凹部４１は、端子接続部２８ｂの厚み内に設けられている。凹部４１は、端子接続部２８ｂにおける電極組立体１２寄りの端面２８ｄを凹ませて形成されている。
【００４１】
図６及び図７に示すように、凹部４１は、積層方向一端から他端に向かうに従い電極組立体１２に近付くに従い下降するように傾斜するガイド部４２を備える。絶縁カバー３５の第１板部３７の突出端を電極接合部２８ａに載せた状態では、係止爪４０が凹部４１内に入り込むようになっている。
【００４２】
絶縁カバー３５において、第２板部３８が第１板部３７に近付く反りが生じる場合がある。この場合、絶縁カバー３５の第１板部３７の突出端を電極接合部２８ａに載せた状態で係止爪４０の先端がガイド部４２に対向するように、ガイド部４２が形成されている。
【００４３】
次に、二次電池１０の製造方法を作用とともに記載する。
【００４４】
まず、蓋部材１５に、引出端子２９、端子接続部材３０、外部接続端子３１、外側絶縁部材３２、及び内側絶縁部材３３が組付けられ、それらが一体に組付けられた蓋端子組立体２０が形成される。蓋部材１５と、正極及び負極の電極接合部２８ａとの間に隙間が存在している。そして、正極の導電部材２８の電極接合部２８ａに対し、電極組立体１２の
正極のタブ群２７が溶接によって接合され、負極の導電部材２８の電極接合部２８ａに対し、負極のタブ群２７が溶接によって接合される。
【００４５】
そして、図６に示すように、電極組立体１２の積層方向一端側から他端側に向けて絶縁カバー３５をスライド移動させる。そして、蓋部材１５と電極接合部２８ａとの間に第１板部３７を差し込む。ここで、絶縁カバー３５の第２板部３８に、第１板部３７に近付く反りが生じていたとする。この場合、図７に示すように、絶縁カバー３５をさらにスライド移動させると、凹部４１のガイド部４２に係止爪４０の傾斜面４０ａが摺接し、凹部４１により、凹部４１が電極組立体１２に近付くようにガイドされる。すなわち、第２板部３８の反りがなくなるように、第２板部３８が撓む。その後、第１板部３７が電極接合部２８ａに支持されるとともに、係止爪４０が各端子接続部２８ｂにおける積層方向他端側に位置する縁部に係止し、絶縁カバー３５が蓋端子組立体２０に装着される。
【００４６】
そして、電極組立体１２をケース部材１４の開口部１４ａからケース部材１４内に挿入する。電極組立体１２がケース部材１４内に挿入された後、蓋部材１５をケース部材１４の開口端に接合すると、二次電池１０が組み立てられる。
【００４７】
上記実施形態によれば、以下のような効果を得ることができる。
【００４８】
（１−１）各導電部材２８にガイド部４２を設け、ガイド部４２を、積層方向一端から他端に向かうに従い電極組立体１２に近付く形状にした。このため、絶縁カバー３５を積層方向一端側から他端側にスライド移動させた際、第２板部３８が蓋部材１５に近付くように反った形状であっても、ガイド部４２により、第２板部３８を電極組立体１２に近付くようにガイドでき、蓋端子組立体２０に対する絶縁カバー３５の装着性を向上できる。
【００４９】
（１−２）導電部材２８のガイド部４２を、積層方向一端から他端に向かって電極組立体１２に近付くように傾斜させた。このため、ガイド部４２により、第２板部３８が電極組立体１２に近付くようにスムーズにガイドできる。
【００５０】
（１−３）第２板部３８が第１板部３７に近付くような反りが第２板部３８に生じても、第１板部３７が電極接合部２８ａに載せられた時点で、第２板部３８の突出端がガイド部４２に対向するように、ガイド部４２を端子接続部２８ｂの端から傾斜させた。このため、ガイド部４２により、第２板部３８を電極組立体１２に近付くようにガイドできる。
【００５１】
（１−４）樹脂製の絶縁カバー３５においては、第２板部３８に係止爪４０を一体成形するため、第２板部３８に反りが生じやすい。しかし、第２板部３８に反りが生じていてもガイド部４２により、端子接続部２８ｂよりも電極組立体１２側に第２板部３８をガイドでき、蓋端子組立体２０に対する絶縁カバー３５の装着性を向上できる。
【００５２】
（第２の実施形態）
次に、蓄電装置を具体化した第２の実施形態を図８にしたがって説明する。なお、第２の実施形態の説明において、第１の実施形態と同様の部分についてはその詳細な説明を省略する。
【００５３】
図８に示すように、蓋部材１５は、積層方向一端側に位置し、かつ電極組立体１２寄りに位置する嵌合部１５ｂの一つの縁部にガイド部５１を備える。具体的には、ガイド部５１は、嵌合部１５ｂの一対の長縁部のうち、積層方向一端側の一つの長縁部の長手全体に設けられている。ガイド部５１は、積層方向一端から他端に向かうに従い嵌合部１５ｂの長縁部が電極組立体１２に向けて下降するように傾斜させて形成されている。ガイド部５１は、嵌合部１５ｂと天板１５ａとの境界から傾斜している。
【００５４】
上記実施形態によれば、以下のような効果を得ることができる。
【００５５】
（２−１）絶縁カバー３５を蓋端子組立体２０に装着するため、絶縁カバー３５を積層方向一端側から他端側にスライド移動させた際、第１板部３７の突出端が、積層方向一端側に位置する嵌合部１５ｂの長縁部に干渉する場合がある。しかし、ガイド部５１により、嵌合部１５ｂに干渉した第１板部３７を電極組立体１２に近付く方向へ変形するようにガイドできる。よって、第１板部３７を、電極接合部２８ａと蓋部材１５との間に入り込ませることができ、蓋端子組立体２０に対する絶縁カバー３５の装着性を向上できる。
【００５６】
（２−２）ガイド部５１を、積層方向一端から他端に向かって電極組立体１２に近付くように傾斜させた。このため、ガイド部５１により、第１板部３７が電極組立体１２に近付くようにスムーズにガイドできる。
【００５７】
（２−３）樹脂製の絶縁カバー３５においては、第２板部３８に係止爪４０を一体成形するため、第１板部３７に反りが生じやすい。しかし、第１板部３７に反りが生じていてもガイド部５１により、第１板部３７をガイドでき、蓋端子組立体２０に対する絶縁カバー３５の装着性を向上できる。
【００５８】
（２−４）ガイド部５１を、嵌合部１５ｂの一つの長縁部の長手全体に設けた。このため、第１板部３７が矩形状であり、第１板部３７の長手に延びる突出端が嵌合部１５ｂの一方の長縁部のいずれの位置に干渉しても、ガイド部５１によって第１板部３７を電極組立体１２に近付くようにガイドできる。
【００５９】
（第３の実施形態）
次に、蓄電装置を具体化した第３の実施形態を図９にしたがって説明する。なお、第３の実施形態の説明において、第１の実施形態と同様の部分についてはその詳細な説明を省略する。
【００６０】
図９に示すように、導電部材２８は、電極接合部２８ａにおいて、積層方向一端側に位置する長縁部にガイド部６１を備える。具体的には、ガイド部６１は、電極接合部２８ａの一対の長縁部のうち、積層方向一端側の一つの長縁部の長手全体に設けられている。また、ガイド部６１は、積層方向一端から他端に向かうに従い蓋部材１５に近付くように円弧状に形成されている。ガイド部６１は、電極接合部２８ａにおいて、積層方向一端側に位置する端から円弧状に形成されている。
【００６１】
上記実施形態によれば、以下のような効果を得ることができる。
【００６２】
（３−１）絶縁カバー３５を蓋端子組立体２０に装着するため、絶縁カバー３５を積層方向一端側から他端側にスライド移動させた際、第１板部３７の突出端が、積層方向一端側に位置する電極接合部２８ａの長縁部に干渉する場合がある。しかし、ガイド部６１により、電極接合部２８ａに干渉した第１板部３７を蓋部材１５に近付く方向へ変形するようにガイドできる。よって、第１板部３７を、電極接合部２８ａと蓋部材１５との間に入り込ませることができ、蓋端子組立体２０に対する絶縁カバー３５の装着性を向上できる。
【００６３】
（３−２）ガイド部６１を円弧状に形成した。このため、ガイド部６１により、第１板部３７が蓋部材１５に近付くようにスムーズにガイドできる。
【００６４】
（３−３）樹脂製の絶縁カバー３５においては、第２板部３８に係止爪４０を一体成形
するため、第１板部３７に反りが生じやすい。しかし、第１板部３７が第２板部３８に近付くような反りが生じていてもガイド部５１により、第１板部３７をガイドでき、蓋端子組立体２０に対する絶縁カバー３５の装着性を向上できる。
【００６５】
（３−４）ガイド部６１を、各電極接合部２８ａの一つの長縁部の長手全体に設けた。このため、第１板部３７が矩形状であり、第１板部３７の長手に延びる突出端が各電極接合部２８ａのいずれの位置に干渉しても、ガイド部６１によって第１板部３７を蓋部材１５に近付くようにガイドできる。
【００６６】
なお、上記実施形態は以下のように変更してもよい。
【００６７】
○  第１の実施形態において、ガイド部４２は円弧面であってもよいし、第２の実施形態において、ガイド部５１は円弧面であってもよい。また、第３の実施形態において、ガイド部６１は傾斜面であってもよい。
【００６８】
○  第１の実施形態において、係止爪４０の位置を、絶縁カバー３５の長手方向の端寄りにし、係止爪４０を積層方向他端に位置する内側絶縁部材３３の外面に係止させてもよい。この場合、凹部４１及びガイド部４２を、積層方向に沿った係止箇所Ｋの延長線上に位置する内側絶縁部材３３の縁部、又は内側絶縁部材３３の縁部と端子接続部２８ｂの縁部の両方に跨るように形成する。
【００６９】
○  正極電極２１及び負極電極２２は、金属箔の片面に活物質層が存在する構造でもよい。
【００７０】
○  蓄電装置は、例えばキャパシタなど、二次電池以外の蓄電装置にも適用可能である。
【００７１】
○  二次電池１０は、リチウムイオン二次電池以外の他の二次電池であってもよい。要は、正極用の活物質と負極用の活物質との間をイオンが移動するとともに電荷の享受を行うものであればよい。
【００７２】
○  二次電池１０は、電極組立体１２の積層方向一端側に配置される絶縁カバー３５だけでなく、電極組立体１２の積層方向他端側に配置される絶縁カバーを備えていてもよい。
【符号の説明】
【００７３】
１０…蓄電装置としての二次電池、１１…ケース、１２…電極組立体、１２ａ…タブ側端面、１４…ケース部材、１４ａ…開口部、１５…蓋部材、２１…正極電極、２２…負極電極、２５，２６…タブ、２７…タブ群、２８…導電部材、２８ａ…電極接合部、２８ｂ…端子接続部、２９…電極端子としての引出端子、３３…絶縁部材としての内側絶縁部材、３５…絶縁カバー、３６…タブ絶縁部、３７…第１板部、３８…第２板部、４０…係止爪、４０ａ…傾斜面、４２，５１，６１…ガイド部。
【図１】
2019121435.tif 000003
【図２】
2019121435.tif 000004
【図３】
2019121435.tif 000005
【図４】
2019121435.tif 000006
【図５】
2019121435.tif 000007
【図６】
2019121435.tif 000008
【図７】
2019121435.tif 000009
【図８】
2019121435.tif 000010
【図９】
2019121435.tif 000011